(57)【要約】本開示の局面は、取外可能および交換可能な調節可能鼻用ブリッジアセンブリを備える、頭部装着型コンピュータに関し、調節可能鼻用ブリッジアセンブリは、調節可能鼻用ブリッジアセンブリをユーザの鼻に適合させるための少なくとも３つのユーザ調節可能特徴を有し、少なくとも３つのユーザ調節可能特徴の第１の調節は、調節可能鼻用ブリッジを頭部装着型コンピュータのレンズに対して上下に移動させるように適合され、少なくとも３つのユーザ調節可能特徴の第２の調節は、調節可能鼻用ブリッジの鼻パッドを軸を中心として頭部装着型コンピュータの上部フレームと略垂直に回転させるように適合され、少なくとも３つのユーザ調節可能特徴の第３の調節は、鼻パッドを軸の側方に拡開させるように適合される。
2019525261.tif 000002
【特許請求の範囲】
【請求項１】
頭部装着型コンピュータであって、
取外可能および交換可能な調節可能鼻用ブリッジアセンブリであって、前記調節可能鼻用ブリッジアセンブリは、前記調節可能鼻用ブリッジアセンブリをユーザの鼻に機械的に位置付けるための少なくとも３つのユーザ調節可能特徴を有する、調節可能鼻用ブリッジアセンブリを備え、
前記少なくとも３つのユーザ調節可能特徴の第１の調節は、前記調節可能鼻用ブリッジを前記頭部装着型コンピュータのレンズに対して上下に移動させるように適合され、
前記少なくとも３つのユーザ調節可能特徴の第２の調節は、前記調節可能鼻用ブリッジの鼻パッドを軸を中心として前記頭部装着型コンピュータの上部フレームと略垂直に回転させるように適合され、
前記少なくとも３つのユーザ調節可能特徴の第３の調節は、前記鼻パッドを前記軸の側方に拡開させるように適合される、
頭部装着型コンピュータ。
【請求項２】
前記第１の調節は、前記ユーザが前記鼻用ブリッジアセンブリを移動させ、いったん前記ユーザが前記移動を完了すると、前記ユーザアクティブ化特徴がさらに前記鼻用ブリッジを定位置に係止するように、前記鼻用ブリッジアセンブリを前記頭部装着型コンピュータから解放するためのユーザアクティブ化特徴を含む、請求項１に記載の頭部装着型コンピュータ。
【請求項３】
前記第２の調節は、ユーザ調節後に持続的位置を維持する可鍛性部材を含む、請求項１に記載の頭部装着型コンピュータ。
【請求項４】
前記第３の調節は、ユーザ調節後に持続的位置を維持する可鍛性部材を含む、請求項１に記載の頭部装着型コンピュータ。
【請求項５】
前記第２および第３の調節は、ユーザ調節後に持続的位置を維持する可鍛性部材を含み、前記可鍛性部材は、前記第２および第３の調節の両方を実施する、請求項１に記載の頭部装着型コンピュータ。
【請求項６】
前記鼻パッドは、可鍛性金属搭載部上に搭載され、前記可鍛性金属搭載部は、前記鼻用ブリッジの位置を維持するが、ユーザ調節可能である、請求項１に記載の頭部装着型コンピュータ。
【発明の詳細な説明】
【技術分野】
【０００１】
（優先権主張）
本願は、２０１６年８月２９日に出願された米国特許出願第１５／２４９，６３７号の利益を主張するものであり、その全体は参照により本明細書中に援用される。
【０００２】
本開示は、頭部装着型コンピューティングに関する。より具体的には、本開示は、頭部装着型コンピュータのための３方向調節可能鼻用ブリッジアセンブリに関する。
【背景技術】
【０００３】
ウェアラブルコンピューティングシステムが、開発され、市販化され始めている。ウェアラブルコンピューティングの分野には、それらに市場の需要を満たさせるために解決される必要がある、多くの問題が存続する。
【発明の概要】
【課題を解決するための手段】
【０００４】
本開示の局面は、頭部装着型コンピュータの３方向調節可能鼻用ブリッジアセンブリに関する。
【０００５】
本開示のこれらおよび他のシステム、方法、目的、特徴、ならびに利点は、以下の発明を実施するための形態および図面から当業者に明白となるであろう。本明細書に述べられた全ての文書は、参照することによってその全体として本明細書に組み込まれる。
【図面の簡単な説明】
【０００６】
実施形態は、以下の図を参照して説明される。同一番号が、図に示される同様の特徴およびコンポーネントを全体を通して参照するために使用され得る。
【０００７】
【図１】図１は、本開示の原理による、頭部装着型コンピューティングシステムを図示する。
【図２】図２は、本開示の原理による、光学システムを伴う頭部装着型コンピューティングシステムを図示する。
【図３】図３は、本開示の原理による、頭部装着型コンピュータの３つの図を図示する。
【図４】図４は、本開示の原理による、つるおよび耳掛け部を図示する。
【図５】図５は、本開示の原理による、種々の状態におけるつるおよび耳掛け部アセンブリを図示する。
【図６】図６は、本開示の原理による、調節可能鼻用ブリッジアセンブリを図示する。
【図７】図７は、本開示の原理による、調節可能鼻用ブリッジアセンブリを図示する。
【図８】図８は、本開示の原理による、調節可能鼻用ブリッジアセンブリを図示する。
【図９】図９は、本開示の原理による、調節可能鼻用ブリッジアセンブリを図示する。
【図１０】図１０は、本開示の原理による、調節可能鼻用ブリッジアセンブリを図示する。
【図１１】図１１は、本開示の原理による、複数の調節可能鼻パッドアセンブリを図示する。
【図１２】図１２は、本開示の原理による、可鍛性プラットフォームと調節可能鼻用ブリッジアセンブリの併用を図示する。
【発明を実施するための形態】
【０００８】
本開示は、ある好ましい実施形態に関連して説明されるが、他の実施形態も、当業者によって理解され、本明細書に包含される。
【０００９】
本開示の局面は、頭部装着型コンピューティング（「ＨＷＣ」）システムに関する。ＨＷＣは、いくつかのインスタンスでは、頭部装着型眼鏡またはサングラスの外観を模倣する、システムを伴う。眼鏡は、眼鏡のレンズのそれぞれ内でユーザの眼に提示されるコンピュータディスプレイを含む等、完全に開発されたコンピューティングプラットフォームであってもよい。実施形態では、レンズおよびディスプレイは、眼鏡を装着している人物がレンズを通して環境を見ながら、また、同時に、環境のデジタル的拡張画像または拡張現実（「ＡＲ」）として、人物によって知覚されるオーバーレイされた画像を形成する、デジタル画像を見ることを可能にするように構成されてもよい。
【００１０】
ＨＷＣは、単に、コンピューティングシステムを人物の頭部上に設置する以上のことを伴う。本システムは、軽量、コンパクト、かつ完全に機能するコンピュータディスプレイとして設計される必要があり得、例えば、コンピュータディスプレイは、表示されるデジタルコンテンツおよび周囲環境のシースルービューから成る、高レベルの再現を提供する、高分解能デジタルディスプレイを含む。ＨＷＣデバイスに好適なユーザインターフェースおよび制御システムは、ラップトップ等のより従来のコンピュータのために使用されるものと異なることが要求され得る。ＨＷＣおよび関連付けられたシステムが最も効果的であるために、眼鏡は、センサを装備し、環境条件、地理的場所、他の着目点に対する相対的位置付け、ユーザまたは接続されたグループ内の他のユーザによる結像および移動によって識別されるオブジェクト、および同等物を決定してもよい。ＨＷＣは、次いで、概して、コンテキストアウェアＨＷＣと称される方法において、動作モードを変化させ、条件、場所、位置、移動、および同等物に合致させてもよい。眼鏡はまた、無線でまたは別様にローカルでまたはネットワークを通してのいずれかにおいて、他のシステムに接続される必要があり得る。眼鏡の制御は、外部デバイスの使用を通して、コンテキスト的に集められた情報を通して自動的に、眼鏡センサによって捕捉されたユーザジェスチャを通して、および同等物によって達成されてもよい。各技法は、眼鏡内で使用されているソフトウェアアプリケーションに応じて、さらに精緻化されてもよい。眼鏡はさらに、眼鏡と関連付けられた外部デバイスを制御する、またはそれと協調させるために使用されてもよい。
【００１１】
図１を参照すると、ＨＷＣシステム１００の概要が、提示される。示されるように、ＨＷＣシステム１００は、ＨＷＣ１０２を備え、これは、本インスタンスでは、ＨＷＣ１０２が環境１１４内のオブジェクトおよび条件を認知するように、センサとともに頭部上に装着されるための眼鏡として構成される。本インスタンスでは、ＨＷＣ１０２はまた、ジェスチャおよび移動１１６等の制御入力を受信および解釈する。ＨＷＣ１０２は、外部ユーザインターフェース１０４と通信してもよい。外部ユーザインターフェース１０４は、物理的ユーザインターフェースを提供し、ＨＷＣ１０２のユーザからの制御命令を受け取ってもよく、外部ユーザインターフェース１０４およびＨＷＣ１０２は、双方向に通信し、ユーザのコマンドに影響を及ぼし、フィードバックを外部デバイス１０８に提供してもよい。ＨＷＣ１０２はまた、外部から制御または協調されるローカルデバイス１０８と双方向に通信してもよい。例えば、外部ユーザインターフェース１０４は、ＨＷＣ１０２と併用され、外部から制御または協調されるローカルデバイス１０８を制御してもよい。外部から制御または協調されるローカルデバイス１０８は、フィードバックをＨＷＣ１０２に提供してもよく、カスタマイズされたＧＵＩは、デバイスのタイプまたは具体的に識別されたデバイス１０８に基づいて、ＨＷＣ１０２に提示されてもよい。ＨＷＣ１０２はまた、ネットワーク接続１１０を通して、遠隔デバイスおよび情報源１１２と相互作用してもよい。再び、外部ユーザインターフェース１０４は、ＨＷＣ１０２と併用され、外部ユーザインターフェース１０４が、外部から制御または協調されるローカルデバイス１０８を制御する、または別様にそれと相互作用するために使用されるときと類似する方法において、遠隔デバイス１０８および情報源１１２のいずれかを制御する、または別様にそれと相互作用してもよい。同様に、ＨＷＣ１０２は、ジェスチャ１１６（例えば、カメラ、距離計、ＩＲセンサ等の前向き、下向き、上向き、後ろ向きに面したセンサから捕捉される）または環境１１４内で感知される環境条件を解釈し、ローカルまたは遠隔デバイス１０８または１１２のいずれかを制御してもよい。
【００１２】
ここで、図１に描写される主要な要素のそれぞれが、より詳細に説明されるであろう。しかしながら、これらの説明は、一般的指針を提供するように意図され、限定として解釈されるべきではない。各要素の付加的説明もまた、本明細書にさらに説明され得る。
【００１３】
ＨＷＣ１０２は、人物の頭部上に装着されるように意図される、コンピューティングプラットフォームである。ＨＷＣ１０２は、多くの異なる形態をとり、多くの異なる機能要件に適合し得る。いくつかの状況では、ＨＷＣ１０２は、従来の眼鏡の形態で設計されるであろう。眼鏡は、アクティブコンピュータグラフィックディスプレイを有する場合とそうではない場合がある。ＨＷＣ１０２が統合されたコンピュータディスプレイを有する状況では、ディスプレイは、デジタル画像が環境１１４のユーザのビューに対してオーバーレイされ得るように、シースルーディスプレイとして構成されてもよい。反射型ディスプレイ（例えば、ＬＣｏＳ、ＤＬＰ）、発光型ディスプレイ（例えば、ＯＬＥＤ、ＬＥＤ）、ホログラム、ＴＩＲ導波管、および同等物を有するものを含め、使用され得るいくつかのシースルー光学設計が、存在する。実施形態では、ディスプレイ光学と併用される、照明システムは、ＬＥＤ、ＯＬＥＤ、量子ドット、量子ドットＬＥＤ等のソリッドステート照明システムであってもよい。加えて、光学構成は、片眼または両眼用であってもよい。また、視力矯正光学コンポーネントを含んでもよい。実施形態では、光学は、コンタクトレンズとしてパッケージ化されてもよい。他の実施形態では、ＨＷＣ１０２は、シースルー遮蔽体を伴うヘルメット、サングラス、安全用眼鏡、ゴーグル、マスク、シースルー遮蔽体を伴う防火ヘルメット、シースルー遮蔽体を伴う警察用ヘルメット、シースルー遮蔽体を伴う軍事用ヘルメット、ある作業タスク（例えば、在庫制御、ロジスティック、修理、保守等）にカスタマイズされる多目的形態、および同等物の形態であってもよい。
【００１４】
ＨＷＣ１０２はまた、統合されたプロセッサ、統合された電力管理、通信構造（例えば、セルネット、ＷｉＦｉ、Ｂｌｕｅｔｏｏｔｈ（登録商標）、ローカルエリア接続、メッシュ接続、遠隔接続（例えば、クライアントサーバ等））、および同等物等のいくつかの統合されたコンピューティング設備を有してもよい。ＨＷＣ１０２はまた、ＧＰＳ、電子コンパス、高度計、傾斜センサ、ＩＭＵ、および同等物等のいくつかの位置認知センサを有してもよい。また、カメラ、測距計、ハイパースペクトルカメラ、ガイガーカウンタ、マイクロホン、スペクトル照明検出器、温度センサ、化学センサ、生物学的センサ、湿度センサ、超音波センサ、および同等物等の他のセンサを有してもよい。
【００１５】
ＨＷＣ１０２はまた、統合された制御技術を有してもよい。統合された制御技術は、コンテキストベースの制御、受動制御、能動制御、ユーザ制御、および同等物であってもよい。例えば、ＨＷＣ１０２は、統合された処理システムが、ジェスチャを解釈し、ＨＷＣ１０２のための制御コマンドを生成し得るように、ユーザの手または身体ジェスチャ１１６を捕捉する、統合されたセンサ（例えば、カメラ）を有してもよい。別の実施例では、ＨＷＣ１０２は、加速度計、ジャイロスコープ、および他の慣性測定を含む、移動（例えば、点頭、頭振、および同等物）を検出する、センサを有してもよく、統合されたプロセッサは、それに応答して、移動を解釈し、制御コマンドを生成してもよい。ＨＷＣ１０２はまた、測定または知覚された環境条件に基づいて、それ自体を自動的に制御してもよい。例えば、環境内が明るい場合、ＨＷＣ１０２は、表示される画像の明度またはコントラストを増加させてもよい。実施形態では、統合された制御技術は、ユーザがそれと直接相互作用し得るように、ＨＷＣ１０２上に搭載されてもよい。例えば、ＨＷＣ１０２は、ボタン、タッチ容量インターフェース、および同等物を有してもよい。
【００１６】
本明細書に説明されるように、ＨＷＣ１０２は、外部ユーザインターフェース１０４と通信してもよい。外部ユーザインターフェースは、多くの異なる形態で生じてもよい。例えば、携帯電話画面は、ＨＷＣ１０２の局面の制御のために、ユーザ入力を受け取るように適合されてもよい。外部ユーザインターフェースは、キーボード、タッチ表面、ボタン、ジョイスティック、および同等物等の専用ＵＩであってもよい。実施形態では、外部コントローラが、指輪、腕時計、自転車、車、および同等物等の別のデバイスの中に統合されてもよい。各場合において、外部ユーザインターフェース１０４は、センサ（例えば、ＩＭＵ、加速度計、コンパス、高度計、および同等物）を含み、ＨＷＤ１０４を制御するための付加的入力を提供してもよい。
【００１７】
本明細書に説明されるように、ＨＷＣ１０２は、他のローカルデバイス１０８を制御する、またはそれと協調してもよい。外部デバイス１０８は、オーディオデバイス、視覚的デバイス、車両、携帯電話、コンピュータ、および同等物であってもよい。例えば、ローカル外部デバイス１０８は、別のＨＷＣ１０２であってもよく、情報は、次いで、別個のＨＷＣ１０８間で交換されてもよい。
【００１８】
ＨＷＣ１０２が、ローカルデバイス１０６を制御する、またはそれと協調し得る、方法と同様に、ＨＷＣ１０２は、遠隔デバイス１１２を制御する、またはそれと協調してもよく、例えば、ＨＷＣ１０２は、ネットワーク１１０を通して、遠隔デバイス１１２と通信する。再び、遠隔デバイス１１２の形態は、多くの形態を有してもよい。これらの形態に含まれるのは、別のＨＷＣ１０２である。例えば、各ＨＷＣ１０２は、全てのＨＷＣ１０２がＨＷＣ１０２の全てが位置する場所を把握するように、そのＧＰＳ位置を通信してもよい。
【００１９】
図２は、上側光学モジュール２０２と、下側光学モジュール２０４とを含む、光学システムとともに、ＨＷＣ１０２を図示する。上側および下側光学モジュール２０２および２０４は、概して、別個のモジュールとして説明されるであろうが、これは、例証にすぎず、本開示は、２つのモジュールが単一モジュールの中に組み合わせられるとき、または２つのモジュールを構成する要素が２つを上回るモジュールの中に構成される場合等、他の物理的構成も含むことを理解されたい。実施形態では、上側モジュール２０２は、コンピュータ制御式ディスプレイ（例えば、ＬＣｏＳ、ＤＬＰ、ＯＬＥＤ等）と、画像光送達光学とを含む。実施形態では、下側モジュールは、上側モジュールの画像光を受信し、画像光をＨＷＣの装着者の眼に送達するように構成される、眼送達光学を含む。図２では、上側および下側光学モジュール２０２および２０４は、画像光が、装着者の片眼に送達され得るように、ＨＷＣの片側に図示されるが、実施形態は、眼毎に１つずつ、２つの画像光送達システムを含有するであろうことも本開示によって想定されることに留意されたい。また、多くの実施形態は、光学モジュールを「上側」および「下側」として参照することに留意されるが、本規定は、読者にとってより容易にするために使用され、モジュールは、必ずしも、上側−下側関係に位置しないことを理解されたい。例えば、画像生成モジュールは、眼送達光学の上方、眼送達光学の下方、眼送達光学の側方に位置する、または別様に位置付けられ、状況および／またはＨＷＣ１０２機械的ならびに光学要件の必要性を満たしてもよい。
【００２０】
本開示の局面は、頭部装着型コンピュータのサイドアームの機械的および電気的構造に関する。一般に、頭部装着型コンピュータが、眼鏡、サングラス、あるゴーグルの形態、または他のそのような形態をとるとき、２つのサイドアームが、頭部装着型コンピュータを頭部装着型コンピュータを装着している人物の耳上に搭載および固着させるために含まれる。実施形態では、サイドアームはまた、電子機器、バッテリ、ワイヤ、アンテナ、コンピュータプロセッサ、コンピュータボード等を含有してもよい。実施形態では、サイドアームは、２つ以上のサブアセンブリを含んでもよい。例えば、以下により詳細に議論されるであろうように、サイドアームは、つるセクションと、耳掛け部セクションとを含んでもよい。２つのセクションは、例えば、両方サイドアームが閉鎖位置に折畳され得るように、機械的に配列され、耳掛け部セクションが移動することを可能にしてもよい。
【００２１】
図３は、本開示の原理による、頭部装着型コンピュータ１０２の３つの別個の図１０２Ａ、１０２Ｂ、および１０２Ｃを図示する。１０２Ａとして図示される、頭部装着型コンピュータに目を向けると、ＨＷＣ１０２の一方のサイドアームは、その閉鎖位置に折畳されている。サイドアームの耳掛け部セクション３０８は、そのつるセクション３０４に対して回転され、他方のサイドアーム３１０に対して空間を作成し、したがって、他方のサイドアームが、その閉鎖位置に移動されると、完全に閉鎖することができる。耳掛け部が、回転せず、空間を作成しない状況（図示せず）では、耳掛け部は、サイドアームが閉鎖位置にあるとき、他方のサイドアーム３１０に物理的に干渉し、他方のサイドアーム３１０が完全に閉鎖することを妨害するであろう。ＨＷＣ１０２Ｂの図は、両サイドアームが完全閉鎖位置に折畳された状態にある、ＨＷＣ１０２Ｂを図示する。耳掛け部３０８は、他方のアーム３１０が耳掛け部３０８に干渉せずに閉鎖されるように、そのつるセクション３０４に対して回転位置にあることに留意されたい。ＨＷＣ１０２Ｃの図はまた、耳掛け部３０８が回転され、他方のアーム３１０が完全に閉鎖するための空間を作成している状態にある、閉鎖位置における両アームを図示する。図３はまた、電子機器が上部搭載部３１２内に格納され得る、ＨＷＣ１０２の部分を図示する。上部搭載部は、電子機器、センサ、光学、プロセッサ、メモリ、無線、アンテナ等を含有してもよい。
【００２２】
図４は、本開示の原理による、サイドアーム構成を図示する。本実施形態では、サイドアームは、２つのサブアセンブリ、すなわち、つるセクション３０４と、耳掛け部３０８とを含む。図４は、サイドアームアセンブリの２つの図を図示し、一方は、外側視点からであって、一方は、断面視点からのものである。耳掛け部は、孔４０４の中に嵌合し、コネクタ４０８によって固着されるように設計される、ピン４０２を含む。コネクタ４０８は、耳掛け部３０８が、除去され、つるセクション３０４に再度取り付けられ得るように、回転可能であって、１つの位置では、ピン４０２を定位置に係止し、別の位置では、ピン４０２を固着解除する。これは、耳掛け部３０８のつるセクション３０４からの取外および再取付を可能にする。これはまた、種々の色およびパターンがもたらされ得る、交換のための異なる耳掛け部３０８の販売を可能にする。実施形態では、つるセクション３０４は、バッテリコンパートメント４１０と、他の電子機器、ワイヤ、センサ、プロセッサ等とを含んでもよい。
【００２３】
図５は、つる３０４および耳掛け部３０８断面とともに、ＨＷＣサイドアームのいくつかの図を図示する。図は、外側視点および断面ならびに耳掛け部３０８とつるセクション３０４の固着の種々の状態を含む。図のセット５０４は、固着された非回転位置における、耳掛け部３０８と、つるセクション３０４とを図示する。図４に関連して説明されるのと同一のピン４０２およびコネクタ４０８システムが、図５の断面に図示される。固着された非回転位置では、ピンは、定位置に留まるように、つるセクション内で内部においてしっかりと引っ張られる。図のセット５０４は、耳掛け部３０８がつるセクション３０４から分離されている、状態を図示する。本状態は、耳掛け部３０８を引っ張るために圧力が使用されるときに達成される。実施形態では、圧力は、ユーザが耳掛け部３０８を引っ張ることによって付与され、これは、耳掛け部３０８内のピン４０２と機械的に関連付けられたばね５１０Ｂを圧縮する。本機構は、コネクタ４０８がピン４０２を定位置に係止するための位置にあるとき、ばねを使用して、圧力をピン４０２上に維持し、コネクタ４０８との接続を維持する。図のセット５０８は、耳掛け部３０８が状態５０４に関連して説明される状態に引っ張られた後、耳掛け部３０８がピン４０２を中心として回転する、状態を図示する。これは、２つのアームが閉鎖位置に折畳されるとき、第１のアームが、耳掛け部３０８が回転された状態で、他のアーム３１０の閉鎖に干渉しないように、耳掛け部３０８を本明細書に説明されるような回転位置に置く。
【００２４】
本開示の局面は、調節可能鼻用ブリッジに関する。調節可能鼻用ブリッジは、頭部装着型コンピュータ、特に、コンピュータディスプレイを伴うものでは、頭部装着型コンピュータのディスプレイおよび／または他の部分の快適性および整合を確実にするために、重要であり得る。図６は、調節可能鼻用ブリッジ６０２とともに、ＨＷＣ１０２を図示する。鼻用ブリッジは、ＨＷＣ１０２内の機構を通して調節可能である。実施形態では、機構は、固定された切り欠き付きアタッチメント６０４と、切り欠き付きアタッチメント６０４の切り欠きの中に嵌合するように適合される、移動可能なピン６０８と、移動可能なピン６０８に取り付けられる、選択デバイス６１０とを含む。移動可能なピン６０８および鼻用ブリッジ６０２は、移動可能なピン６０８が定位置に偏移するにつれて、鼻用ブリッジ６０２も同様に定位置に移動するように接続される。選択デバイス６１０は、移動可能なピン６０８を固定された切り欠き付きアタッチメント６０４と係合させ、そして、押圧し、後退することを可能にされると、そこから係脱させる。図６に図示されるように、選択デバイス６１０は、押圧位置になく、したがって、移動可能なピン６０８は、鼻用ブリッジが安定位置に固着して取り付けられるように、切り欠き付きアタッチメント６０４と係合されている。図７は、移動可能ピン６０８がもはや固定された切り欠き付きアタッチメント６０４と係合されなくなるように、選択デバイスが押圧またはアクティブ化されるときの、シナリオを図示する。これは、鼻用ブリッジ６０２がＨＷＣ１０２の残りに対して上下に移動することを可能にする。いったん移動可能なピン６０８が、切り欠き付きアタッチメント６０４の切り欠きと整合すると、２つの部分は、係合し、ＨＷＣ１０２内の鼻用ブリッジを再固着させ得る。
【００２５】
実施形態では、ＨＷＣ１０２のサイドアームは、オーディオジャック（図示せず）を含んでもよく、オーディオジャックは、サイドアームに磁気的に取付可能であってもよい。例えば、つるセクション３０４または耳掛け部セクション３０８は、磁気的に取付可能なオーディオジャックを、ＨＷＣ１０２内のオーディオシステムと関連付けられたオーディオ信号ワイヤとともに有してもよい。磁気アタッチメントは、一端（例えば、ヘッドホン端またはサイドアーム端）上の１つ以上の磁石と、他端上の磁気的に伝導性の材料とを含んでもよい。他の実施形態では、アタッチメントの両端は、反対極性の磁石を有し、ヘッドホンのより強い磁気接合をもたらしてもよい。実施形態では、オーディオ信号ワイヤまたは磁気接続は、センサ回路を含み、ヘッドホンがＨＷＣ１０２から取り外されるときを検出してもよい。これは、一定オーディオ処理が存在しない（例えば、沈黙の期間を伴う状態で人々が話すのを聞いている）期間の間、装着者がヘッドホンを装着している状況において有用であり得る。実施形態では、他側のヘッドホンは、ヘッドホンが取り外される場合、トーン、音、信号等を再生してもよい。実施形態では、取外のインジケーションは、コンピュータディスプレイに表示されてもよい。
【００２６】
実施形態では、ＨＷＣ１０２は、振動し、装着者にある感知された条件をアラートする、振動システムを有してもよい。実施形態では、振動システム（例えば、迅速に移動し、ＨＷＣ１０２内に振動を生じさせる、アクチュエータ）が、サイドアーム（例えば、つる部分３０４、または耳掛け部３０８）、上部搭載部３１２等内に搭載されてもよい。実施形態では、振動システムは、異なる条件を示し得る、異なる振動モードを生じさせることが可能であり得る。例えば、振動システムは、コンピュータ入力を通して調整され得る、マルチモード振動システム、圧電振動システム、可変モータ等を含んでもよく、ＨＷＣ１０２内のプロセッサは、制御信号を振動システムに送信し、適切な振動モードを生成してもよい。実施形態では、ＨＷＣ１０２は、他のデバイスと関連付けられてもよく（例えば、Ｂｌｕｅｔｏｏｔｈ（登録商標）、ＷｉＦｉ等を通して）、振動制御信号は、他のデバイスと関連付けられたセンサと関連付けられてもよい。例えば、ＨＷＣ１０２は、車内のセンサが振動システムのための振動モードのアクティブ化を生じさせ得るように、Ｂｌｕｅｔｏｏｔｈ（登録商標）を通して、車に接続されてもよい。車は、例えば、事故のリスクが存在する（例えば、運転手が眠っている、車がその車線からはみ出しつつある、装着者の正面の車が停止または減速していることからのリスク、車内のレーダがリスクを示す等）ことを決定してもよく、車のシステムは、次いで、コマンドを、Ｂｌｕｅｔｏｏｔｈ（登録商標）接続を介して、ＨＷＣ１０２に送信し、振動トーンをＨＷＣ１０２内で開始させてもよい。
【００２７】
実施形態では、スピーカシステムとＨＷＣ１０２との間の接続は、つるセクション下以外に位置付けられてもよい。例えば、サイドアームのセクションの側方、上部、底部、端部上に位置付けられてもよい。例えば、正面ブリッジ上に位置付けられてもよい。実施形態では、スピーカシステムは、上部または側方部分に接続されてもよく、スピーカはさらに、ユーザの耳から離れるように前方に面して位置付けられてもよい。これは、音を他者に提供するために有用な構成であり得る。例えば、そのような構成は、ユーザが翻訳を近傍の人物に提供することを所望するときに使用されてもよい。ユーザは、ある言語で話し、言語を翻訳させ、次いで、前方に面したスピーカを通して話させてもよい。
【００２８】
スピーカシステムの取外可能性質は、離脱状況に関して望ましくあり得、したがって、引っ掛かりが、眼鏡をユーザから引き剥がすことまたはユーザの耳を強く引っ張ることはない。取外可能性質はまた、ユーザが、スピーカタイプを入れ替えることまたは他の付属品を取り付けることを所望する場合、モジュール式構成に関しても有用であり得る。例えば、ユーザは、１つの点において、イヤーバッドを所望し、別の点において、開放型イヤースピーカ構成を所望し得、ユーザは、本構成を前提として、容易に入れ替え可能であり得る。ＨＷＣ１０２上のポートはまた、例えば、ライトまたはセンサを含む、他の付属品のために適合されてもよい。付属品は、周囲光センサを有し、例えば、ＨＷＣ１０２ディスプレイ内で使用される、照明およびコントラストシステムの制御を補助してもよい。実施形態では、スピーカポートは、ＨＷＣ１０２のための充電ポートまたはＨＷＣ１０２のためのデータポートとして使用されてもよい。
【００２９】
本開示の別の局面は、頭部装着型コンピュータの調節可能鼻ブリッジアセンブリに関する。頭部装着型コンピュータの位置付けは、人々が、異なる形状の頭部、鼻、眼位置等を有するという事実とともに、ユーザの眼の正面に位置付けられるように意図される、コンピュータディスプレイの性質によって複雑になり得る。本発明者らは、そのような位置付けにおける難点を理解し、頭部装着型コンピュータのための多軸調節システムの直感的機構を開発した。実施形態では、多軸調節システムは、鼻用ブリッジの垂直調節、鼻パッドの持続的回転設定、および鼻パッドの持続的外向き／内向き撓曲を提供する。そのようなシステムは、様々な鼻形状および頭部サイズ上で使用されるように設計される。
【００３０】
図８は、調節可能鼻用ブリッジアセンブリ８０４のための搭載エリア８０２とともに、頭部装着型コンピュータ１０２の一部を図示する。
【００３１】
図９は、３つの異なる垂直位置９０４、９０８、および９１０における、調節可能鼻用ブリッジアセンブリ８０４を図示する。実施形態では、調節可能鼻ブリッジ８０４は、選択デバイス６１０と、鼻パッド９０２とを有する。実施形態では、選択デバイスは、ボタンまたは他の好適なユーザインターフェースであり、ボタンを押下することで、鼻用ブリッジを解放し、上下に移動され得るように、機械的に配列される。本実施形態では、ボタンは、歯または他のそのような特徴と係合し、鼻用ブリッジを定位置に保持する。実施形態では、調節は、連続または離散であってもよく、機械的に、電気的に、または別様に制御されてもよい。
【００３２】
図１０は、鼻パッドを調節可能鼻用ブリッジアセンブリの垂直調節部分から除去し、それを交換するための関与機構を図示する。図１０から分かるように、鼻パッドは、垂直鼻ブリッジ調節システムと噛合するように適合される、クリップ式機構に取り付けられる。図１０はまた、１つの鼻パッドの透明バージョンを示し、堅性（例えば、金属）部材にオーバーモールドされ得る方法を図示する。本発明者らは、鼻パッドを垂直調節システムに取り付けるためのいくつかの方法が存在し、本実施例は、非限定的実施例として提供されることを理解する。
【００３３】
図１１は、鼻パッドのための２つの付加的な移動可能な特徴を提供するシステムを図示する。垂直調節部分とともに、本構成は、３方向調節システムを提供する。調節１００２は、背面に面した図から、鼻パッドが回転または別様に操作され得る方法を図示する。調節１００４は、上面図から、鼻パッドが回転または別様に操作され得る方法を図示する。いったん頭部装着型コンピュータ上に組み立てられると、垂直調節および２つの鼻パッド回転調節は、多くの鼻、顔、および頭部形状に適応する、システムを提供する。
【００３４】
図１２は、鼻パッド搭載部１１０２を図示する。前述のように、鼻パッドは、搭載部の端部上にオーバーモールドされてもよい。本実施形態では、鼻パッドは、鼻パッド搭載部１１０２の端部上にオーバーモールドされる。鼻パッド搭載部１１０２は、示される２ｍｍ寸法の周囲において可鍛性であるように設計される。これは、ユーザが、鼻パッド搭載部１１０２を捻転、旋回、屈曲、拡開、または別様に操作し、鼻パッドの位置を変化させることを可能にし、これは、次いで、ユーザの顔構造に適応することができる。図１２に示される実施形態は、単一部品を図示するが、本発明者らは、本搭載部が、複数の部品で組み立てられてもよいことを理解する。
【００３５】
ＨＷＣの実施形態が、特徴、システム、コンピュータプロセス、および／または方法に特有の言葉で説明されたが、添付の請求項は、必ずしも、説明される具体的特徴、システム、コンピュータプロセス、および／または方法に限定されない。むしろ、具体的特徴、システム、コンピュータプロセス、および／または方法は、ＨＷＣの非限定例示的実装として開示される。本明細書で参照される全ての文書は、参照することによって本明細書に組み込まれる。
【図１】
2019525261.tif 000003
【図２】
2019525261.tif 000004
【図３】
2019525261.tif 000005
【図４】
2019525261.tif 000006
【図５】
2019525261.tif 000007
【図６】
2019525261.tif 000008
【図７】
2019525261.tif 000009
【図８】
2019525261.tif 000010
【図９】
2019525261.tif 000011
【図１０】
2019525261.tif 000012
【図１１】
2019525261.tif 000013
【図１２】
2019525261.tif 000014
【国際調査報告】
2019525261.tif 000015